(57)【要約】【課題】通信ネットワークをアップグレードする効率的な技法を提供すること。【解決手段】エンドシステムのコンフィギュレーション情報を通信することは、ネットワークのエンドシステムでエンドシステムハローパケットを生成することを含む。エンドシステムは、ホストに対応し、インターネットプロトコル(IP)をサポートするよう機能する。エンドシステムを識別するエンドシステムIPアドレスはエンドシステムハローパケットのフィールドに挿入される。エンドシステムハローパケットは、ネットワークのルータに対応する中間システムに送信される。【選択図】図３
2007243955.tif 000002
【特許請求の範囲】
【請求項１】
エンドシステムのコンフィギュレーション情報を通信する方法であって、
ネットワークのエンドシステムでエンドシステムハローパケットを生成するステップであって、前記エンドシステムはホストに対応し、前記エンドシステムはインターネットプロトコル(IP)をサポートするよう機能するステップと、
前記エンドシステムを識別するエンドシステムIPアドレスをエンドシステムハローパケットのフィールドに挿入するステップと、
前記エンドシステムハローパケットを前記ネットワークの中間システムに送信するステップであって、前記中間システムはルータに対応するステップと、
を有する方法。
【請求項２】
前記エンドシステムハローパケットを前記中間システムで受信するステップと、
前記中間システムがIPをサポートするよう機能する場合に、前記エンドシステムIPアドレスのネットワークに通知を行うステップと、
を更に有し、前記通知は、前記エンドシステムIPアドレスを介して前記エンドシステムが到達可能であることを示す請求項１記載の方法。
【請求項３】
前記エンドシステムハローパケットを前記中間システムで受信するステップと、
前記中間システムがIPをサポートするように機能しない場合に、前記エンドシステムIPアドレスを無視するステップと、
を更に有する請求項１記載の方法。
【請求項４】
エンドシステムのコンフィギュレーション情報を通信するシステムであって、
前記エンドシステムはホストに対応し、前記エンドシステムはインターネットプロトコル(IP)をサポートするよう機能し、前記エンドシステムは：
ネットワークのエンドシステムでエンドシステムハローパケットを生成し、
前記エンドシステムを識別するエンドシステムIPアドレスをエンドシステムハローパケットのフィールドに挿入し、
前記エンドシステムハローパケットを前記ネットワークの中間システムに送信する
よう機能し、前記中間システムはルータに対応するシステム。
【請求項５】
中間システムを更に有する請求項７記載のシステムであって、前記中間システムは、
前記エンドシステムハローパケットを前記中間システムで受信し、
前記中間システムがIPをサポートするよう機能する場合に、前記エンドシステムIPアドレスのネットワークに通知を行うよう機能し、
前記通知は、前記エンドシステムIPアドレスを介して前記エンドシステムが到達可能であることを示すシステム。
【請求項６】
中間システムを更に有する請求項７記載のシステムであって、前記中間システムは、
前記エンドシステムハローパケットを前記中間システムで受信し、
前記中間システムがIPをサポートするように機能しない場合に、前記エンドシステムIPアドレスを無視するシステム。
【請求項７】
中間システムを更に有する請求項７記載のシステムであって、前記中間システムは、
前記中間システムから前記エンドシステムへ中間システムハローパケットを送信し、前記中間システムハローパケットは中間システムIPアドレスを有し、前記中間システムIPアドレスは前記中間システムを識別するシステム。
【請求項８】
前記エンドシステムハローパケットが、オープンシステム相互接続(OSI)エンドシステム対中間システム(ES-IS)プロトコルハローパケットを有し、
前記エンドシステムハローパケットがオプションフィールドを有し、該オプションフィールドは複数のパラメータを有し、該パラメータはエンドシステムIPアドレスを示す請求項７記載のシステム。
【請求項９】
前記エンドシステムが、デフォルトポートとして構築されたポートを有し、
前記エンドシステムが、次のエンドシステムハローパケットを送信するよう機能し、前記エンドシステムIPアドレスは、該次のエンドシステムハローパケットから欠如している請求項７記載のシステム。
【請求項１０】
エンドシステムのコンフィギュレーション情報を通信するために記憶媒体に格納される論理装置であって、
ネットワークのエンドシステムでエンドシステムハローパケットを生成するステップであって、前記エンドシステムはホストに対応し、前記エンドシステムはインターネットプロトコル(IP)をサポートするよう機能するステップと、
前記エンドシステムを識別するエンドシステムIPアドレスをエンドシステムハローパケットのフィールドに挿入するステップと、
前記エンドシステムハローパケットを前記ネットワークの中間システムに送信するステップであって、前記中間システムはルータに対応するステップと、
をプロセッサに実行させる論理装置。
【発明の詳細な説明】
【技術分野】
【０００１】
本発明は一般に通信網の技術分野に関し、特にエンドシステムのコンフィギュレーション情報を通信することに関連する。
【背景技術】
【０００２】
ある特定のネットワークプロトコルをサポートする通信ネットワークは、別の又は追加的なプロトコルをサポートするようにアップグレードされるかもしれない。一例として、オープンシステムインターコネクション(OSI)プロトコルをサポートする通信ネットワークは、OSIプロトコル及びインターネットプロトコル(IP)をサポートするためにアップグレードされてよい。
【０００３】
一般に、通信ネットワークをアップグレードすることは、新たなプロトコルをサポートするネットワーク要素を導入することを含むかもしれない。ネットワーク要素を導入する既存の技法は、装置をマニュアルで準備することを含むかもしれない。一例として、新たなプロトコルに従ってネットワーク要素にスタティックルータが手動で準備されるかもしれない。しかしながらマニュアルで装置を準備することは、状況によっては効率的でないかもしれない。かくて通信ネットワークをアップグレードする効率的な技法が望まれている。
【発明の開示】
【発明が解決しようとする課題】
【０００４】
本発明の課題は、通信ネットワークをアップグレードする効率的な技法を提供することである。
【課題を解決するための手段】
【０００５】
本発明の一形態では、コンフィギュレーション情報を通信するための従来法に関連する欠点及び問題点が軽減又は排除される。
【０００６】
本発明の一形態によれば、エンドシステムのコンフィギュレーション情報を通信することは、ネットワークのエンドシステムでエンドシステムハローパケットを生成することを含む。エンドシステムは、ホストに対応し、インターネットプロトコル(IP)をサポートするよう機能する。エンドシステムを識別するエンドシステムIPアドレスはエンドシステムハローパケットのフィールドに挿入される。エンドシステムハローパケットは、ネットワークのルータに対応する中間システムに送信される。
【発明を実施するための最良の形態】
【０００７】
本発明の一形態は１以上の技術的恩恵をもたらすかもしれない。一形態の夜技術的恩恵は、ハローパケット(hello  packet)がエンドシステムのIPアドレスを中間システムに通知することである。IPアドレスを通知するためにハローパケットを使用することで、OSIプロトコルからOSI/IPプロトコルへのネットワークの移行をより効率的にする。
【０００８】
一形態による別の技術的恩恵は、IPプロトコルをサポートしないネットワーク要素が、ハローパケット中のIPアドレスを無視し、ハローパケット中のOSIアドレスを利用することである。OSI専用のネットワーク要素が存在しても通信は妨害されず、従って後方互換性を発揮する。
【０００９】
本発明の一形態は上記の技術的恩恵の全部又は一部を含んでもよいし、全く含まなくてもよい。１以上の他の技術的恩恵は、明細書、特許請求の範囲及び図面を参照することで当業者には更に明瞭になるであろう。
【００１０】
本発明並びにその特徴及び利点の更に完全な理解を期するため、添付図面に関連する以下の詳細な説明が参照される。
【実施例１】
【００１１】
本発明の実施例及びその利点は、図１乃至図３を参照することで最良に理解され、図中同様な数字は同様な部分又は対応する部分を示す。
【００１２】
図１は本発明の一実施例によるネットワークシステム１０のブロック図を示し、ネットワークシステムはエンドシステム３０のコンフィギュレーション情報を通信するように動作する。一実施例によれば、IPプロトコルをサポートするエンドシステム３０がネットワークシステム１０に付加されている。ハローパケットは、エンドシステム３０のIPアドレスを、ネットワークシステム１０の中間システム３４に通知する。IPアドレスを通知するのにハローパケットを利用することで、OSIプロトコルからOSI/IPプロトコルへのより効率的なネットワーク移行を可能にする。
【００１３】
システム１０はデバイス(装置)のようなコンポーネント(構成素子)を含む。一般に装置は、その装置の動作を実行するための適切な如何なる素子配置をも含む。一例として、装置は、ロジック(論理装置)、インターフェース、メモリ、その他の素子又はそれらの適切な如何なる組み合わせをも含んでよい。「ロジック」はハードウエア、ソフトウエア又はそれらの適切な如何なる組み合わせにも関連してよい。あるロジックは装置の動作を管理してもよいし、例えば、プロセッサで構成されてもよい。「プロセッサ」は、オペレーションを実行するためにデータの処理及び命令の処理を行う適切な如何なる装置に関連してもよい。
【００１４】
「インターフェース」は、装置の入力を受信すること、装置から出力を送信すること、入力、出力若しくは双方の適切な処理を行うこと又はそれらの何らかの組み合わせ等を行う装置のロジックに関連してよく、１以上のポート、変換ソフトウエア又は双方で構成されてよい。
【００１５】
「メモリ」は、情報を格納すること及び情報の検索を促すことを行うロジックに関連し、ランダムアクセスメモリ(RAM)、リードオンリメモリ(ROM)、磁気ドライブ、ディスクドライブ、コンパクトディスク(CD)ドライブ、ディジタルビデオディスク(DVD)ドライブ、取り外し可能なメディアストレージ、他の適切な何らかのデータ格納媒体、又はそれらの如何なる組み合わせで構成されてもよい。
【００１６】
ネットワークシステム１０は信号を介して情報を通信する。信号は光パルスのように伝送される光信号に関連してよい。一例として、光信号は約１５５０ナノメートルの波長(周波数)を有し、１０、２０、４０ギガビット毎秒の又は４０ギガビット毎秒より大きなデータレートを有してよい。信号は同期伝送信号(STS:  Synchronous  Transport  Signal)で構成されてもよい。
【００１７】
信号は情報をパケットで通知してもよい。パケットは伝送に特化した手法で組織されたデータの束で構成され、フレームは伝送に特化した手法で組織された１以上のパケットのペイロードで構成されてもよい。パケットは、音声、データ、オーディオ、ビデオ、マルチメディア、制御、シグナリングその他の如何なる情報を搬送してもよいし、それらの如何なる組み合わせの情報を搬送してもよい。パケットは時分割多重(TDM)パケットのような適切な何らかの多重パケットで構成されてもよい。
【００１８】
図示の例によれば、ネットワーク１０は１以上のリングネットワーク２０を含む。リングネットワーク２０は、リングトポロジの中でファイバ３６で結合されたノード２２を含んでもよい。リングネットワーク２０は適切な如何なるトポロジを備えていてもよく、例えば、単方向パススイッチリング(UPSR)トポロジでもよいし、双方向回線交換リング(BLSR)トポロジでもよい。
【００１９】
一実施例によれば、リングネットワーク２０は光ファイバで構成され、レジリエントパケットリング(RPR)プロトコルを利用する。RPRプロトコルはリングベースのパケット伝送用のプロトコルに関連し、パケットは各ノード２２で挿入され、そこを介して伝送され、或いはそこで分岐される。一実施例によれば、リングネットワーク２０は、イーサーネット(登録商標)、同期光ネットワーク(ソネット：SONET)、波長分割多重化(WDM)(高密度波長分割多重(DWDM))技術のような適切な如何なる伝送技術を利用してもよい。
【００２０】
エンドシステム(ES)３０又は中間システム(IS)３４でノードが構成されてよい。エンドシステムは非ルーティングノード２２に関連する。一実施例によれば、エンドシステム３０はIPホストに対応してよい。一般に、エンドシステム３０は唯１つのインターフェースを有し、あるポイントだけにパケットをルーティングできる。エンドシステム３０の具体例にはユーザ装置が含まれ、例えばユーザ装置は情報又はサービスにアクセスするのに使用されるコンピュータである。
【００２１】
中間システム３４はルーティングノード２２に関連する。一実施例によれば、中間システム３４はIPルータに対応する。一般に、中間システム３４は１より多くのインターフェースを有し、パケットを転送するためのルーティング判定を行うかもしれない。中間システム３４の具体例にはブリッジ、ローカルエリアネットワーク(LAN)スイッチ、ルータ又はネットワークスイッチが含まれてよい。
【００２２】
ファイバ３６は信号を伝送する適切な如何なるファイバに関連してもよい。一実施例によれば、ファイバ３６は光ファイバを表現してよい。光ファイバは典型的にはシリカガラス又はプラスチックより成るケーブルで構成される。ケーブルは内側コア周囲の外側クラッディング材料を備えてもよい。内側コアは、外側クラッディング材料よりも僅かに高い屈折率を有する。ファイバのこの屈折率特性は、ファイバの内側に光信号を維持するように機能する。
【００２３】
リングネットワーク２０は例えば２つのファイバ３６を有するが、適切なファイバをいくつでも備えてよい。一例として、第１ファイバ３６はリングネットワーク２０の中で或る方向に伝送し、第２ファイバはリングネットワーク２０の中で別の方向に伝送する。リングセグメントはノード２２間のファイバの部分に関連し、リングセグメントで結合されたネットワーク要素の特定のポートで指定されてよい。
【００２４】
一実施例によれば、コンフィギュレーション情報がシステム３０，３４の間で交換され、システム３０，３４の中での通信を可能にする。コンフィギュレーション情報は中間システム３４の存在すること及びその到達可能性をエンドシステム３０が発見することを可能にし、且つエンドシステムの存在すること及びその到達可能性を中間システム３４が発見することを可能にする。
【００２５】
一実施例によれば、コンフィギュレーション情報を交換するために様々なプロトコルが使用されてよい。プロトコルは、中間システムトゥ中間システム(IS-IS)プロトコル及びエンドシステムトゥ中間システム(ES-IS)プロトコルを含んでよい。一実施例では、これらのプロトコルは修正されたOSIプロトコルでもよい。
【００２６】
IS-ISプロトコルはそれらの間で情報を中間装置が通信すること及びルーティング情報を中間装置が共有することを可能にするよう使用されてよい。ES-ISプロトコルは、それらの間で情報をエンドシステム３０が通信すること及び制限されたルーティング情報をエンドシステム３０が共有することを可能にするのに使用されてよい。ES-ISプロトコルはエンドシステム３０及び中間システム３４のコンフィギュレーションを特定し、エンドシステム３０の間でルーティングを可能にするよう使用されてよい。エンドシステム３０はデフォルトルーティングゲートウェイのような中間システム３４のアドレス（ISアドレス）を使用する。中間システム３４はエンドシステム３０のアドレス（ESアドレス）を伝送し、中間システム３４を介してエンドシステム３０の到達可能性を公表する。
【００２７】
ハローパケットはコンフィギュレーション情報を搬送するのに使用されてもよい。ESハローパケット(ESHs)はエンドシステム３０で生成され、ネットワーク２０の中間システム３４に送信され、ISハローパケット(ISHs)は中間システム３４で生成され、ネットワーク２０のエンドシステム３０に送信される。一実施例によれば、ハローパケットは、そのハローパケットを生成したシステムのIPアドレスを含んでもよい。即ち、エンドシステム３０で生成されたESハローパケットはエンドシステム３０のIPアドレスを含み、中間システム３４で生成されたISハローパケットは中間システム３４のIPアドレスを含む。
【００２８】
ハローパケットは他の適切な情報を含んでもよい。一例として、OSIのES-ISプロトコルに従って、ハローパケットはそのパケットを生成したシステムのOSIアドレスを搬送する。OSIアドレスはOSIネットワークレイヤアドレス及びOSIサブネットワークアドレスを含んでもよい。
【００２９】
本発明の範囲から逸脱せずに、修正、付加又は省略がネットワークシステム１０になされてもよい。ネットワーク１０の構成要素は特定の必要性に応じて統合されてもよいし、分散されてもよい。更に、ネットワークシステム１０の処理は、より多くの装置で、より少ない装置で又は他の装置で実行されてもよい。更に、ネットワークシステム１０の処理は適切な如何なるロジックを用いて実行されてもよい。本願で使用されているように、「各々」は、ある集合のメンバ各々に関連してもよいし、或いはある集合の部分集合のメンバ各々に関連してもよい。
【００３０】
ネットワークシステム１０は効率的なエンドシステム対中間システム(ES-IS)構成をもたらす。既知のOSIプロトコルでは、中間システム３４は或るネットワークトポロジを構築するために情報を交換し、中間システム３４がコンフィギュレーション情報を容易に通信できるようにする。しかしながらエンドシステム３０はそのネットワークトポロジの知識を持っておらず、エンドシステム３４はコンフィギュレーション情報を容易には交換できない。（しかし）ネットワークシステム１０はハローパケットを用いて効率的な情報交換機能をもたらす。更に、ES-ISコンフィギュレーションは後方互換性を有する。IPプロトコルをサポートしないネットワーク要素は、ハローパケット中のIPアドレスを単に無視するかもしれない。
【００３１】
図２はハローパケット５０の一例を示す図であり、そのハローパケットは図１のネットワークシステム１０がエンドシステムのコンフィギュレーション情報を通信するのに使用される。ハローパケット５０はオプションフィールドに至る拡張部を含み、そのフィールドはエンドシステムIPアドレスを中間システム３４に通知するのに使用されてよい。
【００３２】
ハローパケット５０はタイプ長の値(TLV:  Type-length-value)パラメータを用いて情報を通信する。TLVパラメータは、タイプ、長さ及び値を通信する。タイプフィールドはバリューフィールド中の項目のタイプを示し、長さフィールドはバリューフィールドの長さを示し、バリューフィールドはパケットのデータ部分を有する。フィールドは、特定のオクテット数で指定されてよい。例えば、タイプフィールドに１オクテット、長さフィールドに１オクテット及びバリューフィールドにLオクテットでもよい。
【００３３】
図示の例によれば、ハローパケット５０はオプションフィールド５４を含む。オプションフィールド５４は、拡張識別子部分５６及びIPアドレス部分５８を含む。拡張識別子部分５６は、そのオプションフィールドに含まれている拡張部のタイプを特定する。一例として、拡張タイプは特定の拡張部分に関連する製造者を指定してもよい。IPアドレス部分５８はIPアドレス及びサブネットマスクを通信する。
【００３４】
ハローパケット５０は適切な他の情報を含んでもよい。一実施例によれば、ハローパケット５０はOSI  ES-ISハローパケットで構成されてよい。そのハローパケットは、OSIレイヤアドレス及びOSIサブネットワークアドレスのようなOSIアドレスを含む。OSIネットワークレイヤアドレスは、ネットワークサービスアクセスポイント(NSAP)又はネットワークエンティティタイトル(NET)を区別する。ネットワークサービスアクセスポイントは、OSIレイヤ３及びレイヤ４の間のインターフェースをとる。ネットワークエンティティタイトルは、OSI中間システム３４のネットワークレイヤエンティティである。OSIサブネットワークアドレスは、エンドシステム３０又は中間システム３４がサブネットワークに物理的に取り付けられる地点を示す。サブネットワークアドレスは、そのサブネットワークに取り付けられる各システムを固有に識別する。
【００３５】
一実施例によれば、エンドシステム３０はもはやIPプロトコルをサポートしないよう構成されるかもしれない。一例として、特定のロケーション接続番号(LCN:  Location  Connection  Number)ポートは、デフォルトゲートウエーとして用意されていてもよい。エンドシステム３０がもはやIPをサポートしないよう構築される場合に、IPアドレスフィールド５８はハローパケット５０から除去されてよい。中間システム３４が、ハローパケット５０はもはやエンドシステムIPアドレスを含まないことを通知する場合には、そのアドレスは、中間システム３４により送信されるリンク状態パケットから除去されてもよい。
【００３６】
本発明の範囲内で修正、追加又は省略がハローパケット５０になされてもよい。ハローパケット５０は、より多くのフィールドや値を、より少ないフィールドや値を又は他のフィールドや値を含んでもよい。更に、ハローパケット５０の機能は、適切な他の如何なるパケットで実行されてもよい。
【００３７】
図３は、エンドシステム３０のコンフィギュレーション情報を通信するための方法例を示す呼のフローチャート１００であり、図１のネットワークシステム１０で使用されてもよい。一実施例によれば、ハローパケットは、そのハローパケットを生成したシステムのIPアドレスを搬送する。ハローパケットは多くのシステムに同時に送信されてもよい。一例として、ブロードキャストサブネトワークでは、エンドシステム３０を指定する特定のマルチキャストアドレスを介して、ハローパケットは中間システム３４に送信される。
【００３８】
ステップ１１０でエンドシステム３０は、ESハローパケット５０でコンフィギュレーション情報を中間システム３４に送信することで、自身を中間装置３４に宣伝する。ESハローパケット５０は、エンドシステム３０のES−IPアドレスを含む。中間システム３４がIPプロトコルをサポートしていなかったならば、中間システム３４はES-IPアドレスを無視する。
【００３９】
ステップ１１４では、中間システム３４はISハローパケットでコンフィギュレーション情報をエンドシステム３０に送信する。ISハローパケット５０は中間システム３４のIS-IPアドレスを含む。ISハローパケット５０は、中間システム３４でサポートされるプロトコルを指定するプロトコルサポート部分を含んでもよい。例えばコネクションレスネットワークプロトコル(CLNP)のような、IPプロトコル及び他の適切な如何なるプロトコルをも中間システム３４がサポートすることを、プロトコルサポート部分は示す。
【００４０】
エンドシステム３０は、ISハローパケット５０を受信し、ISハローパケット中のIS-IPアドレスにIPパケットを送信する。即ち、エンドシステム３０は、エンドシステム３０から送信されたIPパケットについてデフォルトゲートウェーとして中間システム３４を取り扱う。エンドシステム３０がIPプロトコルをサポートしていなかったならば、エンドシステム３０はIS-IPアドレスを無視する。
【００４１】
ステップ１１８では、エンドシステム３０の到達可能なアドレスとしてES-IPアドレスを送信することで、中間システム３４はエンドシステム３０をネットワーク２０の他のノード２２に宣伝する。ネットワーク要素の到達可能なアドレスは、そのネットワーク要素に達するかもしれないアドレスに関連する。中間システムは、ES-IPアドレスを宣伝するためにL1リンク状態パケット(LSP:  Link  State  Packet)の中にIS-IPアドレスを設けてもよい。
【００４２】
ネットワーク２０の他の中間システム３４は、第三者のシステムを含み、中間システム３４を介して到達可能な静的な経路のようにエンドシステム３０を処理する。一例として、他の中間システム３４は、それらのダイクストラ(Dijkstra)計算におけるエンドシステム３０を含んでよい。
【００４３】
本発明の範囲から逸脱せずに、修正、付加又は省略が本方法になされてもよい。本方法はより多くのステップを、より少ないステップを又は他のステップを含んでもよい。更に、本発明の範囲から逸脱せずに、適切な如何なる順序でステップが実行されてもよい。
【００４４】
一実施例によれば、エンドシステム３０は、中間システム３４とのIP通信に参加しないように明示的に用意されてもよい。一例として、非IPポートがデフォルトゲートウェーとして用意されてもよい。一実施例によれば、エンドシステム３０はESハローパケット中のOSIアドレスだけを公表する。更に、IPベースのトラフィックを含むトラフィックは、非IPポートを飛び越えて方向付けられる。
【００４５】
本発明の一実施例は１以上の技術的利点をもたらす。一実施例による技術的利点は、ハローパケットがエンドシステムのIPアドレスを中間システムに通知することであるかもしれない。IPアドレスを通知するのにハローパケットを用いることで、OSIプロトコルからOSI/IPプロトコルへのネットワーク移行を一層効率的に行うことができる。
【００４６】
一実施例による他の技術的利点は、IPプロトコルをサポートしないネットワーク要素は、ハローパケット中のIPアドレスを無視し、ハローパケット中のOSIアドレスを利用できることかもしれない。OSIだけのネットワーク要素が存在しても通信を妨害せず、その結果後方互換性がもたらされる。
【００４７】
以上本願はある実施例及び関連する方法の観点から説明されてきたが、実施例及び方法に対する代替例及びステップの置換例は当業者に明白であろう。従って上記の実施例は本願の開示内容を限定するものではない。特許請求の範囲で規定されている本願の範囲及び精神から逸脱せずに、他の変更例、置換例及び代替例も可能である。
【００４８】
以下、本発明により教示される手段を例示的に列挙する。
【００４９】
（付記１）
エンドシステムのコンフィギュレーション情報を通信する方法であって、
ネットワークのエンドシステムでエンドシステムハローパケットを生成するステップであって、前記エンドシステムはホストに対応し、前記エンドシステムはインターネットプロトコル(IP)をサポートするよう機能するステップと、
前記エンドシステムを識別するエンドシステムIPアドレスをエンドシステムハローパケットのフィールドに挿入するステップと、
前記エンドシステムハローパケットを前記ネットワークの中間システムに送信するステップであって、前記中間システムはルータに対応するステップと、
を有する方法。
【００５０】
（付記２）
前記エンドシステムハローパケットを前記中間システムで受信するステップと、
前記中間システムがIPをサポートするよう機能する場合に、前記エンドシステムIPアドレスのネットワークに通知を行うステップと、
を更に有し、前記通知は、前記エンドシステムIPアドレスを介して前記エンドシステムが到達可能であることを示す付記１記載の方法。
【００５１】
（付記３）
前記エンドシステムハローパケットを前記中間システムで受信するステップと、
前記中間システムがIPをサポートするように機能しない場合に、前記エンドシステムIPアドレスを無視するステップと、
を更に有する付記１記載の方法。
【００５２】
（付記４）
前記中間システムから前記エンドシステムへ中間システムハローパケットを送信するステップを更に有する付記１記載の方法であって、前記中間システムハローパケットは中間システムIPアドレスを有し、前記中間システムIPアドレスは前記中間システムを識別する方法。
【００５３】
（付記５）
前記エンドシステムハローパケットが、オープンシステム相互接続(OSI)エンドシステム対中間システム(ES-IS)プロトコルハローパケットを有し、
前記エンドシステムハローパケットがオプションフィールドを有し、該オプションフィールドは複数のパラメータを有し、該パラメータはエンドシステムIPアドレスを示す付記１記載の方法。
【００５４】
（付記６）
前記エンドシステムの一部をデフォルトポートとして構築するステップと、
次のエンドシステムハローパケットを送信するステップと、
を更に有し、前記エンドシステムIPアドレスは、該次のエンドシステムハローパケットから欠如している付記１記載の方法。
【００５５】
（付記７）
エンドシステムのコンフィギュレーション情報を通信するシステムであって、
前記エンドシステムはホストに対応し、前記エンドシステムはインターネットプロトコル(IP)をサポートするよう機能し、前記エンドシステムは：
ネットワークのエンドシステムでエンドシステムハローパケットを生成し、
前記エンドシステムを識別するエンドシステムIPアドレスをエンドシステムハローパケットのフィールドに挿入し、
前記エンドシステムハローパケットを前記ネットワークの中間システムに送信する
よう機能し、前記中間システムはルータに対応するシステム。
【００５６】
（付記８）
中間システムを更に有する付記７記載のシステムであって、前記中間システムは、
前記エンドシステムハローパケットを前記中間システムで受信し、
前記中間システムがIPをサポートするよう機能する場合に、前記エンドシステムIPアドレスのネットワークに通知を行うよう機能し、
前記通知は、前記エンドシステムIPアドレスを介して前記エンドシステムが到達可能であることを示すシステム。
【００５７】
（付記９）
中間システムを更に有する付記７記載のシステムであって、前記中間システムは、
前記エンドシステムハローパケットを前記中間システムで受信し、
前記中間システムがIPをサポートするように機能しない場合に、前記エンドシステムIPアドレスを無視するシステム。
【００５８】
（付記１０）
中間システムを更に有する付記７記載のシステムであって、前記中間システムは、
前記中間システムから前記エンドシステムへ中間システムハローパケットを送信し、前記中間システムハローパケットは中間システムIPアドレスを有し、前記中間システムIPアドレスは前記中間システムを識別するシステム。
【００５９】
（付記１１）
前記エンドシステムハローパケットが、オープンシステム相互接続(OSI)エンドシステム対中間システム(ES-IS)プロトコルハローパケットを有し、
前記エンドシステムハローパケットがオプションフィールドを有し、該オプションフィールドは複数のパラメータを有し、該パラメータはエンドシステムIPアドレスを示す付記７記載のシステム。
【００６０】
（付記１２）
前記エンドシステムが、デフォルトポートとして構築されたポートを有し、
前記エンドシステムが、次のエンドシステムハローパケットを送信するよう機能し、前記エンドシステムIPアドレスは、該次のエンドシステムハローパケットから欠如している付記７記載のシステム。
【００６１】
（付記１３）
エンドシステムのコンフィギュレーション情報を通信するために記憶媒体に格納される論理装置であって、
ネットワークのエンドシステムでエンドシステムハローパケットを生成するステップであって、前記エンドシステムはホストに対応し、前記エンドシステムはインターネットプロトコル(IP)をサポートするよう機能するステップと、
前記エンドシステムを識別するエンドシステムIPアドレスをエンドシステムハローパケットのフィールドに挿入するステップと、
前記エンドシステムハローパケットを前記ネットワークの中間システムに送信するステップであって、前記中間システムはルータに対応するステップと、
をプロセッサに実行させる論理装置。
【００６２】
（付記１４）
前記エンドシステムハローパケットを前記中間システムで受信するステップと、
前記中間システムがIPをサポートするよう機能する場合に、前記エンドシステムIPアドレスのネットワークに通知を行うステップと、
をプロセッサに更に実行させ、前記通知は、前記エンドシステムIPアドレスを介して前記エンドシステムが到達可能であることを示す付記１３記載の論理装置。
【００６３】
（付記１５）
前記エンドシステムハローパケットを前記中間システムで受信するステップと、
前記中間システムがIPをサポートするように機能しない場合に、前記エンドシステムIPアドレスを無視するステップと、
を更にプロセッサに実行させる付記１３記載の論理装置。
【００６４】
（付記１６）
前記中間システムから前記エンドシステムへ中間システムハローパケットを送信するステップを更に有する付記１３記載の論理装置であって、前記中間システムハローパケットは中間システムIPアドレスを有し、前記中間システムIPアドレスは前記中間システムを識別する論理装置。
【００６５】
（付記１７）
前記エンドシステムハローパケットが、オープンシステム相互接続(OSI)エンドシステム対中間システム(ES-IS)プロトコルハローパケットを有し、
前記エンドシステムハローパケットがオプションフィールドを有し、該オプションフィールドは複数のパラメータを有し、該パラメータはエンドシステムIPアドレスを示す付記１３記載の論理装置。
【００６６】
（付記１８）
前記エンドシステムの一部をデフォルトポートとして構築するステップと、
次のエンドシステムハローパケットを送信するステップと、
を更にプロセッサに実行させ、前記エンドシステムIPアドレスは、該次のエンドシステムハローパケットから欠如している付記１３記載の論理装置。
【００６７】
（付記１９）
エンドシステムのコンフィギュレーション情報を通信するための１以上のデータ信号であって、前記エンドシステムで生成されたエンドシステムハローパケットを有し、前記エンドシステムハローパケットは、
前記エンドシステムのオープンシステム相互接続(OSI)アドレスを有する第１アドレスと、
前記エンドシステムを識別するエンドシステムインターネットプロトコル(IP)アドレスを有する第２アドレスと、
を有し、前記エンドシステムハローパケットは、ネットワークの中間システム宛であるようにした１以上のデータ信号。
【００６８】
（付記２０）
中間システムハローパケットを有する次のデータ信号を更に有する付記１９記載の１以上のデータ信号であって、
前記中間システムハローパケットは前記中間システムによって生成され、前記中間システムハローパケットは中間システムIPアドレスを有し、前記中間システムIPアドレスは前記中間システムを識別するようにした１以上のデータ信号。
【００６９】
（付記２１）
前記エンドシステムハローパケットは、オープンシステム接続(OSI)エンドシステム対中間システム(ES-IS)プロトコルハローパケットを有する付記１９記載の１以上のデータ信号。
【００７０】
（付記２２）
第２アドレスフィールドが複数のパラメータを有し、該パラメータは前記エンドシステムIPアドレスを示す付記１９記載の１以上のデータ信号。
【００７１】
（付記２３）
エンドシステムのコンフィギュレーション情報を通信するシステムであって、
ネットワークのエンドシステムでエンドシステムハローパケットを生成する手段であって、前記エンドシステムはホストに対応し、前記エンドシステムはインターネットプロトコル(IP)をサポートするよう機能する手段と、
前記エンドシステムを識別するエンドシステムIPアドレスをエンドシステムハローパケットのフィールドに挿入する手段と、
前記エンドシステムハローパケットを前記ネットワークの中間システムに送信するステップであって、前記中間システムはルータに対応する手段と、
を有する方法。
【００７２】
（付記２４）
エンドシステムのコンフィギュレーション情報を通信する方法であって、
ネットワークのエンドシステムでエンドシステムハローパケットを生成するステップであって、前記エンドシステムはホストに対応し、前記エンドシステムはインターネットプロトコル(IP)をサポートするよう機能し、前記エンドシステムハローパケットが、オープンシステム相互接続(OSI)エンドシステム対中間システム(ES-IS)プロトコルハローパケットを有し、前記エンドシステムハローパケットがオプションフィールドを有し、該オプションフィールドは複数のパラメータを有し、該パラメータはエンドシステムIPアドレスを示すステップと、
前記エンドシステムを識別するエンドシステムIPアドレスをエンドシステムハローパケットのフィールドに挿入するステップと、
前記エンドシステムハローパケットを前記ネットワークの中間システムに送信するステップであって、前記中間システムはルータに対応するステップと、
前記エンドシステムハローパケットを前記中間システムで受信するステップと、
前記中間システムがIPをサポートするよう機能する場合に、前記エンドシステムIPアドレスのネットワークに通知を行うステップであって、前記通知は、前記エンドシステムIPアドレスを介して前記エンドシステムが到達可能であることを示すステップと、
前記中間システムがIPをサポートするように機能しない場合に、前記エンドシステムIPアドレスを無視するステップと、
前記中間システムから前記エンドシステムへ中間システムハローパケットを送信するステップであって、前記中間システムハローパケットは中間システムIPアドレスを有し、前記中間システムIPアドレスは前記中間システムを識別するステップと、
前記エンドシステムの一部をデフォルトポートとして構築するステップと、
次のエンドシステムハローパケットを送信するステップであって、前記エンドシステムIPアドレスは、該次のエンドシステムハローパケットから欠如しているステップと、
を有する方法。
【図面の簡単な説明】
【００７３】
【図１】エンドシステムのコンフィギュレーション情報を通信する本発明の一実施例によるネットワークシステムを示すブロック図である。
【図２】エンドシステムのコンフィギュレーション情報を通信するために図１のネットワークで使用されるハローパケットの一例を示す図である。
【図３】図１のネットワークシステムで使用される、エンドシステムのコンフィギュレーション情報を通信するための方法例を示す呼のフローチャートである。
【符号の説明】
【００７４】
１０  システム
２０  リングネットワーク
２２  ノード
３０  エンドシステム
３４  中間システム
３６  ファイバ
５０  ハローパケット
５４  オプションフィールド
５６  拡張識別子部分
５８  IPアドレス部分
【図１】
2007243955.tif 000003
【図２】
2007243955.tif 000004
【図３】
2007243955.tif 000005